(57)【要約】【課題】  組立作業における作業性の向上を図る。【解決手段】  回動型アクチュエーター５に、先端部にヘッド１２、１２を保持するアーム１１、１１と、駆動用コイル１９を保持するコイル保持部１４とアームを保持するアーム保持部１３を有する保持体１０と、駆動用コイルへの接続用のコイル用導線部２４ａ、２４ａとヘッドへの接続用のヘッド用導線部２４ｂ、２４ｂ、・・・とを有すると共に一端部が回路基板２３に接続され他端部にそれぞれコイル用導線部の接続端を有する第１の接続部２５とヘッド用導線部の接続端を有する第２の接続部２６とが設けられたフレキシブルプリント配線板２４とを設け、保持体にフレキシブルプリント配線板を取り付ける取付溝１６ａを形成し、フレキシブルプリント配線板の上記他端部を取付溝にスライドさせるように挿入して第１の接続部と第２の接続部を保持体に取り付けるようにした。【選択図】図７
2006244615.tif 000002
【特許請求の範囲】
【請求項１】
駆動用マグネットと該駆動用マグネットに対向して位置された駆動用コイルとによって発生する駆動力により回動される回動型アクチュエーターを備えたハードディスクドライブ装置であって、
回動型アクチュエーターは、
先端部にヘッドを保持するアームと、
駆動用コイルを保持するコイル保持部とアームを保持するアーム保持部を有する保持体と、
駆動用コイルへの接続用のコイル用導線部とヘッドへの接続用のヘッド用導線部とを有すると共に一端部が所定の回路基板に接続され他端部にそれぞれコイル用導線部の接続端を有する第１の接続部とヘッド用導線部の接続端を有する第２の接続部とが設けられたフレキシブルプリント配線板とを備え、
上記保持体にフレキシブルプリント配線板を取り付ける取付溝を形成し、
フレキシブルプリント配線板の上記他端部を取付溝にスライドさせるように挿入して第１の接続部と第２の接続部を保持体に取り付けるようにした
ことを特徴とするハードディスクドライブ装置。
【請求項２】
上記フレキシブルプリント配線板の他端部を二股状に形成し、
二股状に形成した部分の一方を上記第１の接続部として設け他方を第２の接続部として設けた
ことを特徴とする請求項１に記載のハードディスクドライブ装置。
【請求項３】
上記保持体に、フレキシブルプリント配線板の保持体からの突出方向を定める設定溝又は設定孔を形成した
ことを特徴とする請求項１に記載のハードディスクドライブ装置。
【請求項４】
上記フレキシブルプリント配線板の第１の接続部と第２の接続部の同じ方向を向く面に、それぞれ接続用のランドを設けた
ことを特徴とする請求項１に記載のハードディスクドライブ装置。
【請求項５】
上記フレキシブルプリント配線板の他端部に補強板を貼り付けた
ことを特徴とする請求項１に記載のハードディスクドライブ装置。
【請求項６】
上記フレキシブルプリント配線板の他端部に係止孔を形成し、
上記保持体に上記係止孔に係止される係止突部を設けた
ことを特徴とする請求項１に記載のハードディスクドライブ装置。
【請求項７】
上記保持体に、フレキシブルプリント配線板が取り付けられた状態でフレキシブルプリント配線板の一部を押さえる押さえ部を設けた
ことを特徴とする請求項１に記載のハードディスクドライブ装置。
【請求項８】
駆動用マグネットと該駆動用マグネットに対向して位置された駆動用コイルとによって発生する駆動力により回動される回動型アクチュエーターであって、
先端部にヘッドを保持するアームと、
駆動用コイルを保持するコイル保持部とアームを保持するアーム保持部を有する保持体と、
駆動用コイルへの接続用のコイル用導線部とヘッドへの接続用のヘッド用導線部とを有すると共に一端部が所定の回路基板に接続され他端部にそれぞれコイル用導線部の接続端を有する第１の接続部とヘッド用導線部の接続端を有する第２の接続部とが設けられたフレキシブルプリント配線板とを備え、
上記保持体にフレキシブルプリント配線板を取り付ける取付溝を形成し、
フレキシブルプリント配線板の上記他端部を取付溝にスライドさせるように挿入して第１の接続部と第２の接続部を保持体に取り付けるようにした
ことを特徴とする回動型アクチュエーター。
【発明の詳細な説明】
【技術分野】
【０００１】
本発明はハードディスクドライブ装置及び回動型アクチュエーターについての技術分野に関する。詳しくは、フレキシブルプリント配線板をスライドさせるように取り付けて組立作業における作業性の向上を図る技術分野に関する。
【背景技術】
【０００２】
ハードディスクドライブ装置は、一端にヘッドを保持すると共に駆動用マグネットと駆動用コイルとによって発生する駆動力により回動される回動型アクチュエーターを備えている（例えば、特許文献１参照）。駆動用コイルに通電が行われると、その向きに応じた方向へ回動型アクチュエーターの回動部が回動されヘッドがハードディスクの記録トラックに追従し、ハードディスクに対する情報信号の記録又は再生が行われる。
【０００３】
以下に、従来のハードディスクドライブ装置に設けられた回動型アクチュエーターの一例を示す（図９参照）。
【０００４】
回動型アクチュエーターａは回動部ｂを備え、該回動部ｂは保持体ｃと該保持体ｃに保持された一対のアームｄ、ｄ（図９には上側のアームのみ示す。）及び駆動用コイルｅとを有している。
【０００５】
保持体ｃはアーム保持部ｆとコイル保持部ｇとを有し、アーム保持部ｆが回動支点となるピボットｈに支持されている。
【０００６】
アームｄ、ｄの先端部にはヘッドｉ、ｉが取り付けられ、アームｄ、ｄの他端部が保持体ｃのアーム保持部ｆの上下両面にそれぞれ取り付けられている。アームｄ、ｄの互いに対向する面にはそれぞれ導電用配線板ｊ、ｊが貼着され、該導電用配線板ｊ、ｊの一端部ｋ、ｋがそれぞれヘッドｉ、ｉに接続されている。導電用配線板ｊ、ｊの他端部ｌ、ｌには図示しない複数の接続端子が形成され、他端部ｌ、ｌはアームｄ、ｄから側方へ突出されている。
【０００７】
保持体ｃのコイル保持部ｇには駆動用コイルｅが保持され、該駆動用コイルｅはその上方に配置された駆動用マグネットｍと対向して位置されている。
【０００８】
保持体ｃの側面にはヘッドｉ、ｉと駆動用コイルｅとの電気的な導通を図るためのフレキシブルプリント配線板ｎが取り付けられている。フレキシブルプリント配線板ｎには、図１０及び図１１に示すように、駆動用コイルｅへの接続用の図示しないコイル用導線部とヘッドｉ、ｉへの接続用の図示しないヘッド用導線部とが形成されている。
【０００９】
フレキシブルプリント配線板ｎは一端部が図示しない制御回路基板に接続され、図１０に示すように、他端部が二股状に形成されてそれぞれ駆動用コイルｅに接続される第１の接続部ｏとヘッドｉ、ｉに接続される第２の接続部ｐとして設けられている。フレキシブルプリント配線板ｎの他端部以外の部分はコイル用導線部とヘッド用導線部とが形成された共用接続部ｑとして設けられ、第１の接続部ｏにはコイル用導線部のみが形成され、第２の接続部ｐにはヘッド用導線部のみが形成されている。
【００１０】
第１の接続部ｏには駆動用コイルｅの両端部にそれぞれ半田付けによって接続されるランドｒ、ｒが設けられている。第２の接続部ｐには導電用配線板ｊ、ｊの各接続端子に半田付けによって接続されるランドｓ、ｓ、・・・が設けられている。従って、第２の接続部ｐは導電用配線板ｊ、ｊを介して各ヘッドｉ、ｉに接続される。
【００１１】
フレキシブルプリント配線板ｎが保持体ｃに取り付けられるときには、図１１に示すように、第１の接続部ｏと第２の接続部ｐの境界部分Ｘで両者が折り重ねられるように折り返され、第１の接続部ｏと第２の接続部ｐの各裏面、即ち、ランドｒ、ｒ、ｓ、ｓ、・・・が形成されていない側の面にそれぞれ補強板ｔ、ｕが取り付けられる。
【００１２】
補強板ｔ、ｕはそれぞれ所定の形状に折り曲げられ、第１の接続部ｏと第２の接続部ｐは補強板ｔ、ｕの形状に沿うように屈曲される。補強板ｔ、ｕは、その一端部が重ね合わされて結合され、各他端部がそれぞれ保持体ｃの側面に取り付けられる。
【００１３】
補強板ｔ、ｕを所定の形状に折り曲げて保持体ｃに取り付けることにより、保持体ｃからの第１の接続部ｏと第２の接続部ｐの引出角度が設定される。
【００１４】
【特許文献１】特開２００４−３４２２８８号公報
【発明の開示】
【発明が解決しようとする課題】
【００１５】
ところが、従来の回動型アクチュエーターａにあっては、フレキシブルプリント配線板ｎを境界部分Ｘで折り返し、さらに、第１の接続部ｏと第２の接続部ｐにそれぞれ取り付けられた補強板ｔ、ｕを所定の形状に折り曲げる必要があるため、組立工程が複雑であり、組立時間の短縮化を阻害するという問題がある。
【００１６】
また、第１の接続部ｏと第２の接続部ｐにそれぞれ設けられたランドｒ、ｒ、ｓ、ｓ、・・・を半田付けにより保持体ｃの所定の部分に取り付ける必要があるが、第１の接続部ｏと第２の接続部ｐが大きく離隔した位置にあるため別々の位置で半田付け作業を行う必要があり、また、半田付けを行う際に第２の接続部ｐの外側に共用接続部ｑが位置されてしまうため、共用接続部ｑが邪魔となって第２の接続部ｐのランドｓ、ｓ、・・・に対する半田付けを行い難いという問題もある。
【００１７】
そこで、本発明ハードディスクドライブ装置及び回動型アクチュエーターは、上記した問題点を克服し、組立作業における作業性の向上を図ることを課題とする。
【課題を解決するための手段】
【００１８】
本発明ハードディスクドライブ装置は、上記した課題を解決するために、回動型アクチュエーターに、先端部にヘッドを保持するアームと、駆動用コイルを保持するコイル保持部とアームを保持するアーム保持部を有する保持体と、駆動用コイルへの接続用のコイル用導線部とヘッドへの接続用のヘッド用導線部とを有すると共に一端部が所定の回路基板に接続され他端部にそれぞれコイル用導線部の接続端を有する第１の接続部とヘッド用導線部の接続端を有する第２の接続部とが設けられたフレキシブルプリント配線板とを設け、上記保持体にフレキシブルプリント配線板を取り付ける取付溝を形成し、フレキシブルプリント配線板の上記他端部を取付溝にスライドさせるように挿入して第１の接続部と第２の接続部を保持体に取り付けるようにしたものである。
【００１９】
本発明回動型アクチュエーターは、上記した課題を解決するために、先端部にヘッドを保持するアームと、駆動用コイルを保持するコイル保持部とアームを保持するアーム保持部を有する保持体と、駆動用コイルへの接続用のコイル用導線部とヘッドへの接続用のヘッド用導線部とを有すると共に一端部が所定の回路基板に接続され他端部にそれぞれコイル用導線部の接続端を有する第１の接続部とヘッド用導線部の接続端を有する第２の接続部とが設けられたフレキシブルプリント配線板とを設け、上記保持体にフレキシブルプリント配線板を取り付ける取付溝を形成し、フレキシブルプリント配線板の上記他端部を取付溝にスライドさせるように挿入して第１の接続部と第２の接続部を保持体に取り付けるようにしたものである。
【００２０】
従って、本発明ハードディスクドライブ装置及び回動型アクチュエーターにあっては、コイル用導線部を有する第１の接続部とヘッド用導線部を有する第２の接続部とがスライドされて保持体に取り付けられる。
【発明の効果】
【００２１】
本発明ハードディスクドライブ装置は、駆動用マグネットと該駆動用マグネットに対向して位置された駆動用コイルとによって発生する駆動力により回動される回動型アクチュエーターを備えたハードディスクドライブ装置であって、回動型アクチュエーターは、先端部にヘッドを保持するアームと、駆動用コイルを保持するコイル保持部とアームを保持するアーム保持部を有する保持体と、駆動用コイルへの接続用のコイル用導線部とヘッドへの接続用のヘッド用導線部とを有すると共に一端部が所定の回路基板に接続され他端部にそれぞれコイル用導線部の接続端を有する第１の接続部とヘッド用導線部の接続端を有する第２の接続部とが設けられたフレキシブルプリント配線板とを備え、上記保持体にフレキシブルプリント配線板を取り付ける取付溝を形成し、フレキシブルプリント配線板の上記他端部を取付溝にスライドさせるように挿入して第１の接続部と第２の接続部を保持体に取り付けるようにしたことを特徴とする。
【００２２】
従って、フレキシブルプリント配線板の保持体に対する取付作業が簡単であり、取付作業における作業時間の短縮化を図ることができる。
【００２３】
請求項２に記載した発明にあっては、上記フレキシブルプリント配線板の他端部を二股状に形成し、二股状に形成した部分の一方を上記第１の接続部として設け他方を第２の接続部として設けたので、フレキシブルプリント配線板の構成を簡素化できると共にフレキシブルプリント配線板を容易に形成することができる。
【００２４】
請求項３に記載した発明にあっては、上記保持体に、フレキシブルプリント配線板の保持体からの突出方向を定める設定溝又は設定孔を形成したので、フレキシブルプリント配線板の保持体からの突出方向を容易に定めることができると共に突出方向の精度が高くなりフレキシブルプリント配線板のテンションによる回動動作に対する影響を低減することができる。
【００２５】
請求項４に記載した発明にあっては、上記フレキシブルプリント配線板の第１の接続部と第２の接続部の同じ方向を向く面に、それぞれ接続用のランドを設けたので、第１の接続部と第２の接続部に対する接続作業における良好な作業性を確保することができる。
【００２６】
請求項５に記載した発明にあっては、上記フレキシブルプリント配線板の他端部に補強板を貼り付けたので、フレキシブルプリント配線板の取付溝への挿入を容易に行うことができる。
【００２７】
請求項６に記載した発明にあっては、上記フレキシブルプリント配線板の他端部に係止孔を形成し、上記保持体に上記係止孔に係止される係止突部を設けたので、別に、保持体にフレキシブルプリント配線板を固定するために接着等の作業が必要なく、保持体へのフレキシブルプリント配線板の取付作業の簡略化を図ることができる。
【００２８】
請求項７に記載した発明にあっては、上記保持体に、フレキシブルプリント配線板が取り付けられた状態でフレキシブルプリント配線板の一部を押さえる押さえ部を設けたので、フレキシブルプリント配線板の保持体に対する取付状態におけるガタ付きを防止することができる。
【００２９】
本発明回動型アクチュエーターは、駆動用マグネットと該駆動用マグネットに対向して位置された駆動用コイルとによって発生する駆動力により回動される回動型アクチュエーターであって、先端部にヘッドを保持するアームと、駆動用コイルを保持するコイル保持部とアームを保持するアーム保持部を有する保持体と、駆動用コイルへの接続用のコイル用導線部とヘッドへの接続用のヘッド用導線部とを有すると共に一端部が所定の回路基板に接続され他端部にそれぞれコイル用導線部の接続端を有する第１の接続部とヘッド用導線部の接続端を有する第２の接続部とが設けられたフレキシブルプリント配線板とを備え、上記保持体にフレキシブルプリント配線板を取り付ける取付溝を形成し、フレキシブルプリント配線板の上記他端部を取付溝にスライドさせるように挿入して第１の接続部と第２の接続部を保持体に取り付けるようにしたことを特徴とする。
【００３０】
従って、フレキシブルプリント配線板の保持体に対する取付作業が簡単であり、取付作業における作業時間の短縮化を図ることができる。
【発明を実施するための最良の形態】
【００３１】
以下に、本発明ハードディスクドライブ装置及び回動型アクチュエーターを実施するための最良の形態を添付図面に従って説明する。
【００３２】
ハードディスクドライブ装置１は、図１に示すように、ケース体２内に所要の各機構が配置されて成り、該ケース体２は基台２ａとトップカバー２ｂによって形成されて成る。
【００３３】
基台２ａには図示しないスピンドルモータによって回転されるスピンドル３が設けられ、該スピンドル３に装着されたハードディスク４がスピンドル３の回転に伴って回転されるようになっている。
【００３４】
基台２ａには回動型アクチュエーター５が配置されている。回動型アクチュエーター５は回動部６、ピボット７、駆動用マグネット８及びヨーク９を備え、回動部６は保持体１０とアーム１１、１１とヘッド１２、１２とを有している。
【００３５】
保持体１０は樹脂材料によって各部が一体に形成されて成り、アーム保持部１３とコイル保持部１４とを有している。
【００３６】
アーム保持部１３には、図２に示すように、上下に貫通された取付孔１３ａが形成されている。アーム保持部１３の一方の側面は、基板取付部１５として形成されている。
【００３７】
基板取付部１５には、回動部６の回動軸Ｓ（図２参照）に直交する方向、即ち、図２及び図３に示すＸ１−Ｘ２方向に離隔して、それぞれ側方へ突出された第１の突部１６と第２の突部１７が設けられている。
【００３８】
第１の突部１６には第２の突部１７側に開口された取付溝１６ａが形成されている（図３参照）。取付溝１６ａの開口縁には、第２の突部１７に近付くに従って外方へ変位するように傾斜された案内縁１６ｂが形成されている。
【００３９】
第２の突部１７にはＸ１−Ｘ２方向に貫通された設定溝１７ａが形成されている。設定溝１７ａのＸ１側の開口縁には、第１の突部１６から離隔するに従って外方へ変位するように傾斜された案内縁１７ｂが形成されている。第２の突部１７の外面には、上下に離隔して位置決め溝１７ｃ、１７ｃが形成されている（図２参照）。
【００４０】
基板取付部１５には、取付溝１６ａと設定溝１７ａの間の位置に、外方へ突出された係止突部１８が設けられている（図２及び図３参照）。係止突部１８は取付溝１６ａに近付くに従って外方へ変位するように緩やかに傾斜する傾斜面１８ａと該傾斜面１８ａに連続し取付溝１６ａ側を向く係止面１８ｂとを有している。
【００４１】
コイル保持部１４はアーム保持部１３に対して一段低い位置に設けられ、環状に形成された駆動用コイル１９を保持している。駆動用コイル１９の両端部は、保持体１０に形成された図示しない導通孔を介して基板取付部１５まで引き出される。
【００４２】
アーム１１、１１は、図２に示すように、それぞれ取付板金２０、２０と該取付板金２０、２０の一端部に取り付けられたサスペンション２１、２１とから成る。
【００４３】
取付板金２０、２０にはそれぞれ上下に貫通された挿入孔２０ａ、２０ａが形成されている。取付板金２０、２０はそれぞれ保持体１０のアーム保持部１３、１３の上下両面に取り付けられている。
【００４４】
サスペンション２１、２１は、その一端部が取付板金２０、２０に取り付けられ、該取付板金２０、２０からＸ１方向へ突出されている。サスペンション２１、２１は上下で対向した状態とされ、サスペンション２１、２１の各先端部にヘッド１２、１２が取り付けられている。ヘッド１２、１２はそれぞれ上側に位置するサスペンション２１の下面と下側に位置するサスペンション２１の上面に取り付けられている。サスペンション２１、２１はヘッド１２、１２を所定の荷重でハードディスク４に押し付けるバネとしての機能を有している。
【００４５】
上側に位置するアーム１１の下面と下側に位置するアーム１１の上面とには、それぞれ導電用配線板２２、２２が貼着されている。導電用配線板２２、２２は、各一端部がそれぞれヘッド１２、１２に接続され、各他端部が取付板金２０、２０の挿入孔２０ａ、２０ａの側方に位置されている。導電用配線板２２、２２の他端部は、それぞれ他の部分より幅広の接続面部２２ａ、２２ａとして設けられている。接続面部２２ａ、２２ａの互いに対向する面には、それぞれ長手方向に並ぶ端子部２２ｂ、２２ｂ、・・・が設けられている。
【００４６】
導電用配線板２２、２２の接続面部２２ａ、２２ａ及びこれに連続する部分２２ｃ、２２ｃは、それぞれ取付板金２０、２０から側方へ突出した状態とされている。
【００４７】
アーム１１、１１が保持体１０に取り付けられた状態においては、保持体１０の取付孔１３ａにそれぞれ取付板金２０、２０の挿入孔２０ａ、２０ａが重なって位置され、導電用配線板２２、２２の接続面部２２ａ、２２ａが基板取付部１５に対応して位置される。このときアーム１１、１１に取り付けられている導電用配線板２２、２２は、接続面部２２ａ、２２ａに連続する部分２２ｃ、２２ｃの一部がそれぞれ保持体１０の第２の突部１７に形成された位置決め溝１７ｃ、１７ｃに挿入され、保持体１０に対する導電用配線板２２、２２の位置決めが行われる。
【００４８】
ピボット７は中心部が支持軸７ａとして設けられ、その周囲の部分である回転部７ｂが支持軸７ａに対して回転可能とされる。支持軸７ａは基台２ａに固定される。回転部７ｂの上端部は外方へ張り出されたフランジ部７ｃとして設けられている。
【００４９】
ピボット７はアーム１１、１１の挿入孔２０ａ、２０ａ及び保持体１０の取付孔１３ａに挿入され、回転部７ｂが保持体１０に固定される。従って、保持体１０やアーム１１、１１等から成る回動部６は、ピボット７の回転部７ｂと一体となって回動される。
【００５０】
駆動用マグネット８はヨーク９の内面に取り付けられ、保持体１０に保持された駆動用コイル１９と対向した状態で位置される。
【００５１】
基台２ａ上には回動型アクチュエーター５の動作の制御を行うための回路基板２３が配置されている。回路基板２３にフレキシブルプリント配線板２４が接続されている。
【００５２】
フレキシブルプリント配線板２４は駆動用コイル１９への接続用のコイル用導線部２４ａ、２４ａとヘッド１２、１２への接続用のヘッド用導線部２４ｂ、２４ｂ、・・・とを有し、一端部が回路基板２３に接続され他端部が保持体１０の基板取付部１５に取り付けられて接続される。
【００５３】
フレキシブルプリント配線板２４の他端部は二股状に形成され、下側の部分がコイル用導線部２４ａ、２４ａの一部が形成された第１の接続部２５として設けられ、上側の部分がヘッド用導線部２４ｂ、２４ｂ、・・・の一部が形成された第２の接続部２６として設けられている。
【００５４】
第１の接続部２５には、その先端寄りの位置に、上下に離隔して接続用のランド２５ａ、２５ａが形成されている（図４参照）。第２の接続部２６には、その上下両端部にそれぞれ長手方向に離隔して接続用のランド２６ａ、２６ａ、・・・が形成されている。第２の接続部２６には、その先端寄りの位置に、係止孔２６ｂが形成されている。
【００５５】
フレキシブルプリント配線板２４の他端部には、ランド２５ａ、２５ａ、２６ａ、２６ａ、・・・が形成されていない側の面に、例えば、金属材料によって形成された補強板２７が取り付けられている。補強板２７には、第２の接続部２６に形成された係止孔２６ｂに対応する位置に取付孔２７ａが形成されている。
【００５６】
回路基板２３には、図１及び図２に示すように、接続用基板２８の一端部が接続され、該接続用基板２８はケース体４から外部へ導出され、例えば、パーソナルコンピューター等の各種の電子機器の図示しないメイン基板（マザーボード）等に接続される。
【００５７】
以下に、保持体１０に対するフレキシブルプリント配線板２４の取付手順について説明する（図５乃至図７参照）。
【００５８】
先ず、フレキシブルプリント配線板２４の他端部を第２の突部１７に形成された設定溝１７ａに挿入する（図５参照）。このときフレキシブルプリント配線板２４の先端が案内縁１７ｂに案内されて設定溝１７ａに対するフレキシブルプリント配線板２４の挿入が円滑に行われる。
【００５９】
引き続き、フレキシブルプリント配線板２４を第１の突部１６側へスライドさせる。フレキシブルプリント配線板２４を第１の突部１６側へスライドさせると、先端部が係止突部１８の傾斜面１８ａ上を乗り上げる（図５参照）。
【００６０】
さらに、フレキシブルプリント配線板２４を第１の突部１６側へスライドさせると、先端部が第１の突部１６の案内縁１６ｂ上を摺動され、フレキシブルプリント配線板２４が取付溝１６ａ内に挿入されていく（図６参照）。
【００６１】
さらにフレキシブルプリント配線板２４をスライドさせると、係止孔２６ｂ及び補強板２７の取付孔２７ａに係止突部１８が対応して位置され、係止孔２６ｂ及び取付孔２７ａの開口縁に係止突部１８の係止面１８ｂが係止され（図７参照）、保持体１０に対するフレキシブルプリント配線板２４の取付を完了する。
【００６２】
上記した取付作業においては、フレキシブルプリント配線板２４の他端部に補強板２７が取り付けられているため、フレキシブルプリント配線板２４の設定溝１７ａ及び取付溝１６ａへの挿入を容易に行うことができる。
【００６３】
また、保持体１０に設けられた係止突部１８が第２の接続部２６の係止孔２６ｂ及び補強板２７の取付孔２７ａに係止されることにより、フレキシブルプリント配線板２４が保持体１０に取り付けられて保持されるため、別に、保持体１０にフレキシブルプリント配線板２４を固定するために接着等の作業が必要なく、保持体１０へのフレキシブルプリント配線板２４の取付作業の簡略化を図ることができる。
【００６４】
保持体１０に対するフレキシブルプリント配線板２４の取付が完了した状態においては、フレキシブルプリント配線板２４の一部がそれぞれ第１の突部１６及び第２の突部１７によって押さえられる。
【００６５】
従って、第１の突部１６及び第２の突部１７はフレキシブルプリント配線板２４を押さえる押さえ部としても機能し、フレキシブルプリント配線板２４が第１の突部１６及び第２の突部１７によって押さえられることにより、フレキシブルプリント配線板２４の保持体１０に対する取付状態におけるガタ付きを防止することができる。
【００６６】
保持体１０に対するフレキシブルプリント配線板２４の取付が完了した状態においては、図８に示すように、フレキシブルプリント配線板２４の第１の接続部２５に形成されたランド２５ａ、２５ａが第１の突部１６と第２の突部１７の間において第１の突部１６側に寄って位置され、フレキシブルプリント配線板２４の第２の接続部２６に形成されたランド２６ａ、２６ａ、・・・がそれぞれ導電用配線板２２、２２、・・・に形成された端子部２２ｂ、２２ｂ、・・・と直交する状態で対応して位置される。
【００６７】
第１の接続部２５のランド２５ａ、２５ａは、図８に示すように、それぞれ駆動用コイル１９の両端部と半田２９、２９によって接続され、第２の接続部２６のランド２６ａ、２６ａ、・・・はそれぞれ端子部２２ｂ、２２ｂ、・・・と半田３０、３０、・・・によって接続される。この半田付け作業においては、第１の接続部２５と第２の接続部２６の同じ方向を向く面に、それぞれ接続用のランド２５ａ、２５ａ、２６ａ、２６ａ、・・・が形成されているため、良好な作業性を確保することができる。
【００６８】
駆動用コイル１９への通電は回路基板２３及びフレキシブルプリント配線板２４のコイル用導線部２４ａ、２４ａを介して行われ、ヘッド１２、１２への通電は回路基板２３、フレキシブルプリント配線板２４のヘッド用導線部２４ｂ、２４ｂ、・・・及び導電用配線板２２、２２を介して行われる。
【００６９】
駆動用コイル１９に対して通電が行われると、駆動用マグネット８、８との間に発生する推力によって、駆動用コイル１９への通電方向に応じた方向へ回動部６が回動され、ヘッド１２、１２がハードディスク４の記録トラックに追従される。
【００７０】
ヘッド１２、１２に対して通電が行われると、ハードディスク４に対する情報信号の書込又はハードディスク４に書き込まれた情報信号の読取が行われる。
【００７１】
以上に記載した通り、ハードディスクドライブ装置１にあっては、フレキシブルプリント配線板２４をスライドさせて取付溝１６ａに挿入して第１の接続部２５と第２の接続部２６を保持体１０に取り付けるようにしているため、フレキシブルプリント配線板２４の保持体１０に対する取付作業が簡単であり、取付作業における作業時間の短縮化を図ることができる。
【００７２】
また、第１の接続部２５と第２の接続部２６が保持体１０の同じ部位（基板取付部１５）に位置されるため、ランド２５ａ、２５ａ、２６ａ、２６ａ、・・・に対する半田付けを同じ位置で行うことができ、半田付け作業の容易化を図ることができる。
【００７３】
さらに、フレキシブルプリント配線板２４の他端部を二股状に形成し、二股状に形成した部分の一方を第１の接続部２５として設け他方を第２の接続部２６として設けているため、フレキシブルプリント配線板２４の構成を簡素化できると共にフレキシブルプリント配線板２４を容易に形成することができる。
【００７４】
さらにまた、フレキシブルプリント配線板２４が保持体１０に取り付けられた状態においては、フレキシブルプリント配線板２４の可動部６からの突出方向が第２の突部１７に形成された設定溝１７ａによって設定される。従って、フレキシブルプリント配線板２４の可動部６からの突出方向を容易に定めることができると共に突出方向の精度が高くなりフレキシブルプリント配線板２４のテンションによる回動部６の回動動作に対する影響を低減することができる。
【００７５】
尚、上記に示した上下の方向は説明の便宜上のものであり、これらの方向に限定されることはない。
【００７６】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００７７】
【図１】図２乃至図８と共に本発明の最良の形態を示すものであり、本図は、ハードディスクドライブ装置の概略斜視図である。
【図２】回動型アクチュエーターの一部を示す分解斜視図である。
【図３】保持体にフレキシブルプリント配線板が取り付けられる前の状態を一部を断面にして示す拡大平面図である。
【図４】フレキシブルプリント配線板の一部を示す拡大斜視図である。
【図５】保持体にフレキシブルプリント配線板が取り付けられている途中の状態を一部を断面にして示す拡大平面図である。
【図６】図５に引き続き保持体にフレキシブルプリント配線板が取り付けられている途中の状態を一部を断面にして示す拡大平面図である。
【図７】保持体にフレキシブルプリント配線板が取り付けられた状態を一部を断面にして示す拡大平面図である。
【図８】要部の拡大側面図である。
【図９】従来のハードディスクドライブ装置に設けられた回動型アクチュエーターの一例を示す拡大平面図である。
【図１０】従来のフレキシブルプリント配線板を折り曲げ前の状態で示す斜視図である。
【図１１】従来のフレキシブルプリント配線板を折り曲げ後に補強板を取り付けた状態で示す斜視図である。
【符号の説明】
【００７８】
１…ハードディスクドライブ装置、５…回動型アクチュエーター、８…駆動用マグネット、１０…保持体、１１…アーム、１２…ヘッド、１３…アーム保持部、１４…コイル保持部、１６…第１の突部（押さえ部）、１６ａ…取付溝、１７…第２の突部（押さえ部）、１７ａ…設定溝、１８…係止突部、１９…駆動用コイル、２３…回路基板、２４…フレキシブルプリント配線板、２４ａ…コイル用導線部、２４ｂ…ヘッド用導線部、２５…第１の接続部、２５ａ…ランド、２６…第２の接続部、２６ａ…ランド、２６ｂ…係止孔、２７…補強板
【図１】
2006244615.tif 000003
【図２】
2006244615.tif 000004
【図３】
2006244615.tif 000005
【図４】
2006244615.tif 000006
【図５】
2006244615.tif 000007
【図６】
2006244615.tif 000008
【図７】
2006244615.tif 000009
【図８】
2006244615.tif 000010
【図９】
2006244615.tif 000011
【図１０】
2006244615.tif 000012
【図１１】
2006244615.tif 000013